(57)【要約】【課題】天面吸入グリルの取付性に優れた空気調和機の室内ユニットを提供する。【解決手段】外郭１０の一部を構成する前面枠１に着脱自在な天面吸入グリル２を備え、前面枠１は、天面吸入グリル２で覆われる天面開口部３と、固定部４ａ、４ｂと、天面開口部３の両端に設けられ天面吸入グリル２を保持する第１、第２のガイド面５ａ、５ｂを有し、天面吸入グリル２は、固定部４ａ、４ｂに固定される被固定部４ｃ、４ｄと、第１、第２のガイド面５ａ、５ｂ上で摺動自在なガイド部２ａを有し、前面枠１に天面吸入グリル２を取り付けた時、天面吸入グリル２と第１、第２のガイド面５ａ、５ｂのそれぞれの裏面が同一面になるように、ガイド部２ａを凹ませたもので、天面吸入グリル２取り付け時に、ガイド面５ａ、５ｂでガイド部２ａを摺動させると、ガイド部２ａの側面２ｂがガイド面５ａ、５ｂの側面に沿って摺動するため取付位置が定まり、取り付けが容易である。【選択図】図１
2007139348.tif 000002
【特許請求の範囲】
【請求項１】
外郭の一部を構成する前面枠と、前記前面枠に着脱自在な天面吸入グリルを備え、前記前面枠は、前記天面吸入グリルで覆われる天面開口部と、固定部と、前記天面開口部の両端に設けられ前記天面吸入グリルを保持する第１のガイド面及び第２のガイド面を有し、前記天面吸入グリルは、前記固定部に固定される被固定部と、前記第１、第２のガイド面上で摺動自在なガイド部を有し、前記前面枠に前記天面吸入グリルを取り付けたときに、前記天面吸入グリルの裏面と前記前面枠の第１、第２のガイド面のそれぞれの裏面が同一面になるように、前記ガイド部を裏面より凹ませて形成した空気調和機の室内ユニット。
【請求項２】
固定部と被固定部のいずれか一方を略軸状に形成し、他方を、略軸状の前記一方をはさみ込むように断面略Ｕ字状に形成した請求項１に記載の空気調和機の室内ユニット。
【請求項３】
前面枠の第１、第２のガイド面のそれぞれの面上に、天面開口部側に向かって徐々に高くなるリブを突設した請求項１又は２に記載の空気調和機の室内ユニット。
【請求項４】
天面吸入グリルを前面枠に取り付けた状態で、前記天面吸入グリルの中央部が上方向に湾曲するようにした請求項１〜３のいずれか１項に記載の空気調和機の室内ユニット。
【発明の詳細な説明】
【技術分野】
【０００１】
本発明は、空気調和機の室内ユニットに関するもので、さらに詳しくは室内ユニットを構成する天面吸入グリルの取り付け構造に関するものである。
【背景技術】
【０００２】
従来の空気調和機の室内ユニットについて、図９を参照しながら説明する。従来の室内ユニットは、図９に示すように、外郭１０の一部を構成する前面枠１と、前面枠１に着脱自在な天面吸入グリル２を備えており、前面枠１は、天面吸入グリル２で覆われる天面開口部３と、固定部４ａ、４ｂと、天面開口部３の両端に形成され天面吸入グリル２を保持する第１のガイド面５ａ及び第２のガイド面５ｂと、天面開口部３の第１のガイド面５ａと第２のガイド面５ｂの間において、第１及び第２のガイド面５ａ、５ｂと略平行に配置されたガイドリブ６とを有し、天面吸入グリル２には、固定部４ａ、４ｂに相対すると共に固定部４ａ、４ｂにそれぞれ固定される被固定部４ｃ、４ｄと、ガイドリブ６と摺動可能に形成されたガイド部７が設けられている（例えば、特許文献１参照）。
【特許文献１】特開２００４−１２５２０６号公報
【発明の開示】
【発明が解決しようとする課題】
【０００３】
しかしながら、上記従来の空気調和機の室内ユニットの構成によれば、天面開口部３の第１のガイド面５ａと第２のガイド面５ｂの間において、前記第１及び第２のガイド面５ａ、５ｂと略平行に配置されたガイドリブ６を形成することが困難な場合もあり、又、前記天面吸入グリル２を前記前面枠１に取付ける際、左右方向の取付け位置が定まりにくく、特に高所での取付けでもあるために取付けがスムーズにできないという課題を有していた。また、前記天面吸入グリル２の裏面と前記前面枠１の第１及び第２のガイド面５ａ、５ｂの裏面に段差があるため、内蔵部品のスペースをその段差分考慮しなければならないという課題も有していた。
【０００４】
本発明はこのような従来の課題を解決するものであり、天面吸入グリルの取付け性を向上させた空気調和機の室内ユニットを提供するものである。
【課題を解決するための手段】
【０００５】
前記従来の課題を解決するために、本発明の空気調和機の室内ユニットは、外郭の一部を構成する前面枠と、前記前面枠に着脱自在な天面吸入グリルを備え、前記前面枠は、前記天面吸入グリルで覆われる天面開口部と、固定部と、前記天面開口部の両端に設けられ前記天面吸入グリルを保持する第１のガイド面及び第２のガイド面を有し、前記天面吸入グリルは、前記固定部に固定される被固定部と、前記第１、第２のガイド面上で摺動自在なガイド部を有し、前記前面枠に前記天面吸入グリルを取り付けたときに、前記天面吸入グリルの裏面と前記前面枠の第１、第２のガイド面のそれぞれの裏面が同一面になるように、前記ガイド部を裏面より凹ませて形成したもので、天面吸入グリルの取付時、前面枠のガイド面に天面吸入グリルのガイド部を摺動させた際に、天面吸入グリルのガイド部の側面が前面枠のガイド面の側面に沿って摺動するため取付位置が定まり、スムーズに取付けることができ、また、天面吸入グリル裏面と前面枠のガイド面裏面が同一面となっているので、内蔵部品のスペースとして有効活用することができる。
【発明の効果】
【０００６】
本発明の空気調和機の室内ユニットは、天面吸入グリルの取付位置が定まりやすく、作業性に優れ、また内蔵部品用にスペースを有効活用できるものである。
【発明を実施するための最良の形態】
【０００７】
第１の発明は、外郭の一部を構成する前面枠と、前記前面枠に着脱自在な天面吸入グリルを備え、前記前面枠は、前記天面吸入グリルで覆われる天面開口部と、固定部と、前記天面開口部の両端に設けられ前記天面吸入グリルを保持する第１のガイド面及び第２のガイド面を有し、前記天面吸入グリルは、前記固定部に固定される被固定部と、前記第１、第２のガイド面上で摺動自在なガイド部を有し、前記前面枠に前記天面吸入グリルを取り付けたときに、前記天面吸入グリルの裏面と前記前面枠の第１、第２のガイド面のそれぞれの裏面が同一面になるように、前記ガイド部を裏面より凹ませて形成したもので、天面吸入グリルの取付時、前面枠のガイド面に天面吸入グリルのガイド部を摺動させた際に、天面吸入グリルのガイド部の側面が前面枠のガイド面の側面に沿って摺動するため取付位置が定まり、スムーズに取付けることができ、また、天面吸入グリル裏面と前面枠のガイド面裏面が同一面となっているので、内蔵部品のスペースとして有効活用することができる。
【０００８】
第２の発明は、特に、第１の発明の固定部と被固定部のいずれか一方を略軸状に形成し、他方を、略軸状の前記一方をはさみ込むように断面略Ｕ字状に形成したもので、限られたスペースで天面吸入グリルの着脱操作時のクリック感を損ねることなく固定部形成を可能にすることができる。
【０００９】
第３の発明は、特に、第１又は第２の発明の前面枠の第１、第２のガイド面のそれぞれの面上に、天面開口部側に向かって徐々に高くなるリブを突設したもので、前面枠の第１及び第２のガイド面との間で、天面開口部に天面吸入グリルを保持する保持部を設けなくても、前面枠に天面吸入グリルを取り付けたときに、リブが天面吸入グリルを中央部にむかって高くなるように矯正し、自重による天面吸入グリルのたわみを抑制することができるので、デザイン性を損ねることもない。
【００１０】
第４の発明は、特に、第１〜３のいずれか一つの発明の天面吸入グリルを前面枠に取り付けた状態で、前記天面吸入グリルの中央部が上方向に湾曲するようにしたもので、天面開口部に天面吸入グリルを保持する保持部を設けなくても、前面枠に天面吸入グリルを取り付けたときに、天面吸入グリルの湾曲分が自重によるたわみ分を吸収し、デザイン性を損ねることが防げる。
【００１１】
以下、本発明の実施の形態について図面を参照しながら説明する。なお、この実施の形態によって本発明が限定されるものではない。
【００１２】
（実施の形態１）
図１は、本発明の第１の実施の形態における空気調和機の室内ユニットの斜視図、図２は、同室内ユニットの天面吸入グリルを前面枠に収納したときの要部断面図（図１のＢ−Ｂ断面図）である。なお、上記従来例と同一部分については、同一符号を付して、その詳細説明を省略する。
【００１３】
本実施の形態は、図１、図２に示すように、前面枠１に天面吸入グリル２を取り付けたときに、天面吸入グリル２の裏面と前面枠１の第１のガイド面５ａ及び第２のガイド面５ｂの裏面が同一面になるように、天面吸入グリル２のガイド部２ａを裏面より凹ませて形成したものである。
【００１４】
上記構成により、天面吸入グリル２の取付時に、前面枠１のガイド面５ａ、５ｂに天面吸入グリル２のガイド部２ａを摺動させた際に、天面吸入グリル２の側面２ｂが前面枠１のガイド面５ａ、５ｂの側面５ｃに沿って摺動するため取付位置が定まり、スムーズに取
付けることができる。また、天面吸入グリル２の裏面と前面枠１のガイド面５ａ、５ｂの裏面とが同一面となっているので、内蔵部品のスペースとして有効活用することができる。
【００１５】
（実施の形態２）
図３は、本発明の第２の実施の形態における空気調和機の室内ユニットの天面吸入グリル固定部の断面図である。
【００１６】
本実施の形態は、図３に示すように、前面枠１に略軸状の固定部４ａを形成し、天面吸入グリル２の固定部４ａに対向する部分に、略軸状の固定部４ａを挟み込むように着脱自在に係合する断面略Ｕ字状の被固定部４ｃを形成したもので、これにより、限られたスペースで、天面吸入グリル２の着脱操作時のクリック感を損ねることなく、両部品間の固定部を形成することができる。
【００１７】
尚、上記実施の形態では、前面枠１側の固定部４ａを略軸状に、天面吸入グリル２側の被固定部４ｃを略Ｕ字状にそれぞれ形成したが、図４に示すように、前面枠１側の固定部４ａを略Ｕ字状に、天面吸入グリル２側の被固定部４ｃを略軸状に形成しても、同様の効果が得られることは言うまでも無い。
【００１８】
（実施の形態３）
図５は、本発明の第３の実施の形態における空気調和機の室内ユニットの前面枠の部分断面図、図６は、同室内ユニットの天面吸入グリルを前面枠に取り付けたときの要部断面図（図１のＢ−Ｂ断面）である。尚、上記第１の実施の形態と同一部分については同一符号を付してその説明を省略する。
【００１９】
本実施の形態は、図５、図６に示すように、前面枠１の第１のガイド面５ａと第２のガイド面５ｂのそれぞれの面上に、天面開口部３に向かって徐々に高くなる三角リブ８を突設したもので、これにより前面枠１の第１及び第２のガイド面５ａ、５ｂとの間で、天面開口部３に天面吸入グリル２を保持する保持部を設けなくても、据付状態において、三角リブ８が天面吸入グリル２を中央部にむかって高くなるように矯正するので、自重による天面吸入グリル２の下方へのたわみを抑制することができ、デザイン性を損ねることが防げる。
【００２０】
（実施の形態４）
図７は、本発明の第４の実施の形態における空気調和機の室内ユニットの天面吸入グリルの断面図、図８は、同天面吸入グリルを前面枠に取り付けたときの要部断面図（図１のＢ−Ｂ断面）である。尚、上記実施の形態と同一部分については同一符号を付してその説明を省略する。
【００２１】
本実施の形態は、図７、図８に示すように、天面吸入グリル２を前面枠１に据付た状態で、天面吸入グリル２の中央部が上方向に湾曲するように形成したもので、これにより、前面枠１の第１及び第２のガイド面５ａ、５ｂとの間で、天面開口部３に天面吸入グリル２を保持する保持部を設けなくても、据付状態において、天面吸入グリル２の湾曲分が自重によるたわみ分を吸収し、デザイン性を損ねることが防げるものである。
【産業上の利用可能性】
【００２２】
本発明にかかる空気調和機の室内ユニットは、天面吸入グリルの取付け性に優れたもので、家庭用、業務用の各種空気調和機に適用できるものである。
【図面の簡単な説明】
【００２３】
【図１】本発明の実施の形態１における空気調和機の室内ユニットの斜視図
【図２】同室内ユニットの天面吸入グリルを前面枠に収納したときの要部断面図（図１のＢ−Ｂ断面図）
【図３】本発明の実施の形態２における空気調和機の室内ユニットの天面吸入グリル固定部の断面図
【図４】他の例を示す天面吸入グリル固定部の断面図
【図５】本発明の実施の形態３における空気調和機の室内ユニットの前面枠の部分断面図
【図６】同室内ユニットの天面吸入グリルを前面枠に取り付けたときの要部断面図（図１のＢ−Ｂ断面）
【図７】本発明の実施の形態４における空気調和機の室内ユニットの天面吸入グリルの断面図
【図８】同天面吸入グリルを前面枠に取り付けたときの要部断面図（図１のＢ−Ｂ断面）
【図９】（ａ）従来の空気調和機の室内ユニットの斜視図（ｂ）同室内ユニットの天面吸入グリルを前面枠に収納したときの要部断面図（図９（ａ）のＡ−Ａ断面図）
【符号の説明】
【００２４】
１  前面枠
２  天面吸入グリル
２ａ  ガイド部
３  天面開口部
４ａ、４ｂ  固定部
４ｃ、４ｄ  被固定部
５ａ  第１のガイド面
５ｂ  第２のガイド面
６  ガイドリブ
７  ガイド部
８  三角リブ（リブ）
１０  外郭
【図１】
2007139348.tif 000003
【図２】
2007139348.tif 000004
【図３】
2007139348.tif 000005
【図４】
2007139348.tif 000006
【図５】
2007139348.tif 000007
【図６】
2007139348.tif 000008
【図７】
2007139348.tif 000009
【図８】
2007139348.tif 000010
【図９】
2007139348.tif 000011